(57)【特許請求の範囲】
【請求項１】
取り込んだ室内空気中の塵埃を付着するフィルタ（１９）を有する本体（１１）と、
前記フィルタに接触することで前記フィルタに付着した塵埃を除去するブラシ（６２）を有し、前記ブラシにより除去された塵埃を収集する塵埃収集部（６０）と、
を備え、
前記塵埃収集部は、前記本体に着脱可能に構成されていると共に、前記ブラシ近傍に配置される塵埃収集部側壁面（６５ｃ）とを有し、
前記本体は、前記塵埃収集部が装着された状態で前記ブラシの近傍に位置する本体側壁面（２２ｂ）を有し、
前記塵埃収集部が前記本体に装着された時に、前記塵埃収集部側壁面と前記本体側壁面とは、前記ブラシの前記フィルタに面しない部分を覆う、
空調室内機（１０）。
【請求項２】
前記塵埃収集部側壁面及び前記本体側壁面は、前記ブラシの端部から５ｍｍ以内に位置する、
請求項１に記載の空調室内機。
【請求項３】
前記塵埃収集部が前記本体に装着されていないときには、前記ブラシは、周方向に１８０度以上の角度範囲にわたって前記塵埃収集部側壁面から露出しており、
前記塵埃収集部が前記本体に装着されているときには、前記ブラシは、周方向に１８０度未満の角度範囲にわたって、前記塵埃収集部側壁面及び前記本体側壁面から露出している、
請求項１又は２に記載の空調室内機。
【請求項４】
前記本体側壁面は、前記ブラシの周面に沿って湾曲した形状を呈する、
請求項１から３のいずれか１項に記載の空調室内機。
【請求項５】
前記塵埃収集部が前記本体に装着された状態で、前記本体側壁面の一部と前記塵埃収集部側壁面とが３ｍｍ以上重なって配置される、
請求項４に記載の空調室内機。
【請求項６】
前記塵埃収集部は、前記ブラシに接触することで前記ブラシに付着した塵埃を取り除くブラシ清掃部（６４）を更に有し、
前記本体側壁面は、前記塵埃収集部が前記本体に装着された状態で、前記ブラシ清掃部よりも前記ブラシの回転方向下流側に配置される、
請求項１から５のいずれか１項に記載の空調室内機。
【請求項７】
前記塵埃収集部は、前記フィルタの下部近傍に配置されている、
請求項１から６のいずれか１項に記載の空調室内機。
【発明の詳細な説明】
【技術分野】
【０００１】
本発明は、フィルタ清掃機能を有する空調室内機に関する。
【背景技術】
【０００２】
従来より、取り込んだ室内空気中の塵埃が付着するフィルタを掃除するフィルタ掃除機能を有する空調室内機がある。また、フィルタ掃除機能を有する空調室内機には、フィルタから塵埃を除去するためのブラシと、ブラシによって除去された塵埃を収集する塵埃収集部と、を備えているものがある。
【０００３】
例えば、特許文献１（特開２００９−１８０４６５号公報）に開示されている空気調和機は、フィルタから塵埃を除去するための除塵体（ブラシに相当）と、除塵体で除去した塵埃を収納するための収納体（塵埃収集部に相当）と、を備えている。この空気調和機では、除塵体或いはフィルタを移動させることで、フィルタに付着した塵埃を除去し、除去した塵埃を収納体内に蓄積している。また、収納体が本体の側面に設けられた開口部から取り出され、収納体内に蓄積した塵埃が廃棄されている。
【発明の概要】
【発明が解決しようとする課題】
【０００４】
ところで、ブラシに付着している塵埃を空調室内機内で舞い散らせないようにするためには、ブラシの半分以上を塵埃収集部の壁面によって覆うことが考えられる。そして、ブラシの半分以上を塵埃収集部の壁面によって覆うために、ブラシの大部分を塵埃収集部内に配置することが考えられる。一方、ブラシの半分以上が塵埃収集部内に配置されている場合に、塵埃の付着したブラシを掃除するためには、塵埃収集部からブラシを取り出す必要があり、ブラシの掃除作業が煩雑となることがある。
【０００５】
そこで、本発明の課題は、フィルタ掃除機能を有する空調室内機において、ブラシに付着した塵埃が舞い散るおそれを低減することができ、かつ、ブラシの掃除を容易に行うことができる空調室内機を提供することにある。
【課題を解決するための手段】
【０００６】
本発明の第１観点に係る空調室内機は、本体と、塵埃収集部と、を備える。本体は、取り込んだ室内空気中の塵埃を付着するフィルタを有する。塵埃収集部は、ブラシを有し、ブラシにより除去された塵埃を収集する。ブラシは、フィルタに接触することで、フィルタに付着した塵埃を除去する。また、塵埃収集部は、本体に着脱可能に構成されている。さらに、塵埃収集部は、塵埃収集部側壁面を有する。塵埃収集部側壁面は、ブラシ近傍に配置されている。本体は、塵埃収集部が装着された状態で、ブラシの近傍に位置する本体側壁面を有する。さらに、塵埃収集部が本体に装着された時に、塵埃収集部側壁面と本体側壁面とは、ブラシのフィルタに面しない部分を覆う。
【０００７】
本発明の第１観点に係る空調室内機では、塵埃収集部が本体に装着されている場合には、塵埃収集部側壁面と本体側壁面とが、ブラシのフィルタに面しない部分を覆っている。このため、塵埃収集部側壁面と本体側壁面とによってブラシの半分以上が覆われている場合には、ブラシに付着している塵埃が舞い散るおそれを低減することができる。
【０００８】
また、塵埃収集部側壁面と本体側壁面とがブラシのフィルタに面しない部分を覆っているため、塵埃収集部が本体に装着されていない場合には、ブラシのフィルタに面する部分と、ブラシの本体側壁面によって覆われている部分とを露出させることができる。
【０００９】
これによって、ブラシに付着した塵埃が舞い散るおそれを低減することができ、かつ、ブラシの掃除を容易に行うことができる。
【００１０】
なお、ブラシの塵埃収集部側壁面と本体側壁面とによって覆われる部分は、ブラシのフィルタに接触する部分以外の全ての部分であってもよく、フィルタに接触する部分以外の一部であってもよい。また、フィルタに面しない部分がブラシの上部である場合には、塵埃収集部側壁面と本体側壁面とによって覆われる部分がブラシの下方及び側方であってもよい。また、塵埃収集部側壁面と本体側壁面とが、ブラシのフィルタに面しない部分を共同して覆っていてもよく、この場合、連続して覆っていてもよい。
【００１１】
本発明の第２観点に係る空調室内機は、第１観点の空調室内機において、塵埃収集部側壁面及び本体側壁面は、ブラシの端部から５ｍｍ以内に位置する。この空調室内機では、塵埃収集部側壁面及び本体側壁面からブラシの端部までの距離が短いため、ブラシに付着している塵埃が舞い散るおそれを減らすことができる。
【００１２】
本発明の第３観点に係る空調室内機は、第１観点又は第２観点の空調室内機において、塵埃収集部が本体に装着されていないときには、ブラシは、周方向に１８０度以上の角度範囲にわたって塵埃収集部側壁面から露出している。また、塵埃収集部が本体に装着されているときには、ブラシは、周方向に１８０度未満の角度範囲にわたって、塵埃収集部側壁面及び本体側壁面から露出している。このため、塵埃収集部が本体に装着されていないときには、ブラシの半分以上が塵埃収集部側壁面から露出している。したがって、塵埃収集部を本体から取り外すことで、ブラシの掃除を容易に行うことができる。また、塵埃収集部が本体に装着されているときには、ブラシの半分以上が塵埃収集部側壁面及び本体側壁面によって覆われている。したがって、ブラシに付着した塵埃が舞い散るおそれを低減することができる。
【００１３】
本発明の第４観点に係る空調室内機は、第１観点から第３観点のいずれかの空調室内機において、本体側壁面は、ブラシの周面に沿って湾曲した形状を呈する。このため、本体側壁面とブラシの端部との距離を縮めることができる。
【００１４】
これによって、ブラシに付着した塵埃が舞い散るおそれを低減することができる。
【００１５】
本発明の第５観点に係る空調室内機は、第４観点の空調室内機において、塵埃収集部が本体に装着された状態で、本体側壁面の一部と塵埃収集部側壁面とが３ｍｍ以上重なって配置される。この空調室内機では、塵埃収集部側壁面と本体側壁面の一部が重なっているため、ブラシに付着した塵埃が塵埃収集部側壁面と本体側壁面との隙間から漏れるおそれを低減することができる。
【００１６】
本発明の第６観点に係る空調室内機は、第１観点から第５観点のいずれかの空調室内機において、塵埃収集部は、ブラシ清掃部材を更に有する。ブラシ清掃部材は、ブラシに接触することで、ブラシに付着した塵埃を取り除く。また、本体側壁面は、塵埃収集部が本体に装着された状態で、ブラシ清掃部よりもブラシの回転方向下流側に配置される。この空調室内機では、本体側壁面が、ブラシ清掃部よりもブラシの回転方向下流側に配置されているため、ブラシに付着した塵埃が本体側壁面に溜まるおそれを低減することができる。
【００１７】
本発明の第７観点に係る空調室内機は、第１観点から第６観点のいずれかの空調室内機において、塵埃収集部は、フィルタの下部近傍に配置されている。このため、この空調室内機では、フィルタの下部近傍で、フィルタに付着した塵埃を除去することができる。
【発明の効果】
【００１８】
本発明の第１観点に係る空調室内機では、ブラシに付着した塵埃が舞い散るおそれを低減することができ、かつ、ブラシの掃除を容易に行うことができる。
【００１９】
本発明の第２観点に係る空調室内機では、ブラシに付着している塵埃が舞い散るおそれを減らすことができる。
【００２０】
本発明の第３観点に係る空調室内機では、塵埃収集部を本体から取り外すことで、ブラシの掃除を容易に行うことができる。また、塵埃収集部が本体に装着されているときに、ブラシに付着した塵埃が舞い散るおそれを低減することができる。
【００２１】
本発明の第４観点に係る空調室内機では、ブラシに付着した塵埃が舞い散るおそれを低減することができる。
【００２２】
本発明の第５観点に係る空調室内機では、ブラシに付着した塵埃が塵埃収集部側壁面と本体側壁面との隙間から漏れるおそれを低減することができる。
【００２３】
本発明の第６観点に係る空調室内機では、ブラシに付着した塵埃が本体側壁面に溜まるおそれを低減することができる。
【００２４】
本発明の第７観点に係る空調室内機では、フィルタの下部近傍で、フィルタに付着した塵埃を除去することができる。
【図面の簡単な説明】
【００２５】
【図１】本発明の一実施形態に係る空調室内機の縦断面図。
【図２】掃除機構の外観図（フィルタ、第１ローラ及びダストボックスは省略）。
【図３】掃除機構の外観図（フィルタ及びダストボックスは省略）。
【図４】掃除機構を示す図であって、図３のIV-IV断面を矢印方向から見た図。
【図５】第１支持部の部分拡大図。
【図６】第２支持部にフィルタが取り付けられた状態を示す図。
【図７】第１ローラの分解斜視図。
【図８】掃除機構を説明するための図。
【図９】ダストボックスの外観斜視図。
【図１０】ダストボックスの分解図。
【図１１】ダストボックスの正面図。
【図１２】ダストボックスの平面図。
【図１３】ダストボックスの背面図。
【図１４】掃除機構の部分断面図であって、（ａ）図１１のXIV(a)-XIV(a)断面を示す図、（ｂ）ダストボックスが本体に装着された状態の図１１のXIV(a)-XIV(a)断面に相当する部分の断面を示す図。
【発明を実施するための形態】
【００２６】
以下、図面を参照しながら、本発明の実施形態に係る空調室内機１０について説明する。なお、以下の実施形態は、本発明の具体例であって、本発明の技術的範囲を限定するものではない。
【００２７】
（１）空調室内機の構成
空調室内機１０は、フィルタ１９に付着した塵埃を自動的に掃除するフィルタ掃除機能を有している。空調室内機１０においてフィルタ掃除運転が実行されることで、フィルタ１９に付着した塵埃の掃除が行われる。また、空調室内機１０は、本体１１と、ダストボックス（塵埃収集部に相当）６０と、を備えている。以下に、本体１１及びダストボックス６０の構成について説明する。
【００２８】
（２）本体の構成
本体１１は、ケーシング１２と、フレーム１３と、室内熱交換器１５と、室内ファン１６と、フィルタ１９と、第１支持部２０と、第２支持部３１と、を有している。
【００２９】
（２−１）ケーシング
ケーシング１２は、図１に示すように、本体１１の外郭を構成するグリル１７ａと、前面パネル１７ｂと、背面板１７ｃとを含む。また、ケーシング１２の内部には、フレーム１３、室内熱交換器１５、室内ファン１６、フィルタ１９、第１支持部２０、第２支持部３１、及びダストボックス６０が配置されている。室内熱交換器１５は、通過する空気との間で熱交換を行う。室内ファン１６は、室内からケーシング１２内に取り込んだ空気を、室内熱交換器１５に当てて通過させた後、室内に吹き出す。また、室内熱交換器１５及び室内ファン１６は、フレーム１３に取り付けられている。
【００３０】
（２−２）フレーム
フレーム１３の前面下部には、吹き出し口１３ａが設けられている。さらに、吹き出し口１３ａには、吹き出される空気を案内する水平フラップ１８が設けられている。水平フラップ１８は、吹き出し口１３ａから吹き出される空気の吹き出し方向を変更したり、吹き出し口１３ａを閉じたりすることができる。
【００３１】
（２−３）フィルタ
フィルタ１９は、室内熱交換器１５に向かって流入する空気に含まれる塵埃を付着して除去するために、グリル１７ａと室内熱交換器１５との間に配置されている。また、フィルタ１９は、例えば、樹脂製の糸で平織り又は綾織りされた網であり、環形状に形成されている。なお、フィルタ１９は、自身で安定した形状を維持することができない構成であるため、第２支持部３１によって支持されている。
【００３２】
（２−４）第１支持部
図２は、掃除機構３０の外観図であって、第１支持枠２１に第２支持部３１が装着された後、規制部材２４の規制レバー２４ｃを規制位置まで回動する前の状態を示す図である。図３は、掃除機構３０の外観図であって、第１支持枠２１に第２支持部３１が装着された後、規制部材２４の規制レバー２４ｃを規制位置まで回動した状態を示す図である。図４は、掃除機構３０の構成部品を説明するための図である。なお、図２では、フィルタ１９、第１ローラ４０及びダストボックス６０を省略して描いている。図３では、フィルタ１９及びダストボックス６０を省略して描いている。
【００３３】
第１支持部２０は、第２支持部３１及びダストボックス６０と共に、フィルタ１９に付着した塵埃を自動的に掃除するための掃除機構３０を構成する。また、第１支持部２０は、図２、図３及び図４に示すように、第１支持枠２１と、外側桟２２と、駆動モータ２３と、規制部材２４と、を備えている。以下、図面を用いて各部品について説明する。
【００３４】
（２−４−１）第１支持枠
第１支持枠２１は、フィルタ１９の室内熱交換器１５側の面が下方に垂れ下がらないように、室内熱交換器１５側からフィルタ１９に接触するように配置されている。また、第１支持枠２１は、フレーム１３に固定されている。さらに、第１支持枠２１は、第１側板２５と、第２側板２６と、第３側板２７と、補強枠（図示せず）と、上端部取付枠２９と、を有している。第１側板２５、第２側板２６及び第３側板２７は、それぞれ、平行に等間隔に並んでいる。補強枠は、第１側板２５と第２側板２６との間、及び、第２側板２６と第３側板２７との間に取り付けられる。上端部取付枠２９は、第１側板２５、第２側板２６及び第３側板２７の上端部を覆うように取り付けられる。
【００３５】
また、第１側板２５には、後述する第２支持枠３２の第１支持板３４を支持する第１案内溝２５ａが設けられている。また、第１側板２５において第１案内溝２５ａが設けられている面とは反対側の面には、駆動モータ２３が取り付けられている。また、第１案内溝２５ａが設けられている側の面にはギア列（図示せず）が取り付けられており、駆動モータ２３の回転軸は第１側板２５を貫通してギア列に連結されている。
【００３６】
第２側板２６には、第２支持枠３２の第２支持板３５を支持する第２案内溝２６ｂと、第２支持枠３２の第１支持板３４を支持する第１案内溝２６ａとが設けられている。第２案内溝２６ｂは、第２側板２６において第１側板２５に対峙する位置に設けられている。また、第１案内溝２６ａは、第２側板２６において第２案内溝２６ｂが設けられている面とは反対側の面に設けられている。第３側板２７には、第２支持枠３２の第２支持板３５を支持する第２案内溝２７ｂが設けられている。第２案内溝２７ｂは、第３側板２７において第２側板２６の第１案内溝２６ａに対峙する位置に設けられている。
【００３７】
補強枠は、フィルタ１９の進行方向に沿う複数の補強棒と、フィルタ１９の進行方向と直交する方向に沿う複数の補強棒とによって格子状に形成されており、一定の強度が確保されている。また、補強棒は、第２支持部３１を第１支持枠２１に装着した状態で、第２支持枠３２の補強棒３６と上下に重なって配置される。なお、補強棒においてフィルタ１９が接触する可能性のある部分は、滑らかな曲面に仕上げられている。
【００３８】
（２−４−２）外側桟
外側桟２２は、アンダーカバー２２ａと、ブラシカバー２２ｂと、アシストローラ２２ｃと、を備えている。アンダーカバー２２ａは、図４及び図５に示すように、フィルタ１９下部の折り返し部分に近傍に位置するように、第１支持枠２１の下端部に取り付けられている。具体的には、アンダーカバー２２ａは、フィルタ１９を挟んで後述する第１ローラ４０と対峙するように配置されている。また、アンダーカバー２２ａには、フィルタ１９の下部の折り返し部分とブラシ６２とを接触させるための開口２２ａａが形成されている。フィルタ１９において第１ローラ４０と接触している部分では、進行方向に引っ張られる領域と進行方向に繰り出される領域とが隣接しているため、繰り出される領域はフィルタ１９に作用する張力が低下してフィルタ１９が波打つ可能性がある。ここで、アンダーカバー２２ａが設けられていることで、波打ったフィルタ１９が、第１ローラ４０近傍に位置する可動部材であるブラシ６２に接触する前にアンダーカバー２２ａに接触するため、フィルタ１９がブラシ６２に噛み込まれるおそれを低減している。
【００３９】
ブラシカバー２２ｂは、ブラシ６２の周面に沿って湾曲した形状を呈する部材であって、ダストボックス６０が本体１１に装着された状態でブラシ６２の近傍に位置するようにアンダーカバー２２ａに取り付けられている。具体的には、ブラシカバー２２ｂは、ダストボックス６０が本体１１に装着された状態でブラシ６２の後側を覆うように配置されている。また、ダストボックス６０が本体１１に装着された状態で、ブラシカバー２２ｂは、ブラシカバー２２ｂにおいてブラシ６２の外周面と対向する側の面が、ブラシ６２の端部である毛先から５ｍｍ以内に位置していることが好ましく、２ｍｍ以内であることがより好ましい。なお、本実施形態では、前記面からブラシ６２の毛先までの距離が１ｍｍ以内となっている。なお、ブラシカバー２２ｂは、ダストボックス６０が本体１１に装着された状態で、その先端が後述する櫛部６４の歯６４ａの付け根部分と接触する。なお、本実施形態では、ダストボックス６０が本体１１に装着された状態で、ブラシカバー２２ｂの先端と櫛部６４の歯６４ａの付け根部分とが接触するが、これに限定されず、ブラシカバー２２ｂの先端と櫛部６４の歯６４ａの付け根部分とが接触していなくてもよい。
【００４０】
さらに、アンダーカバー２２ａには、フィルタ１９の弛みを解消するために、４つのアシストローラ２２ｃが取り付けられている。アシストローラ２２ｃは、室内熱交換器１５側からフィルタ１９と接触するように配置されており、フィルタ１９を第２支持部３１側に向かって付勢する。このため、フィルタ１９は、アシストローラ２２ｃによって弛みが解消され、第２支持部３１に周回可能に支持された状態となる。
【００４１】
（２−４−３）駆動モータ
駆動モータ２３は、ステッピングモータであって、第１側板２５に固定されている。また、駆動モータ２３は、第１ローラ４０を回転させる２つのローラ駆動モータと、ブラシ６２を回転させる１つのブラシ駆動モータとを含む。一方のローラ駆動モータは、ギア列（図示せず）を介して、第１側板２５と第２側板２６との間に配置される第１ローラ４０の駆動ギア４３を回転させる。また、他方のローラ駆動モータは、ギア列（図示せず）及び延長軸（図示せず）を介して、第２側板２６と第３側板２７との間に配置される第１ローラ４０の駆動ギア４３を回転させる。ブラシ駆動モータは、ギア列（図示せず）及び延長軸（図示せず）を介して、ブラシ６２の駆動ギア６２ａを回転させる。
【００４２】
（２−４−４）規制部材
規制部材２４は、第１支持枠２１に対する第２支持部３１の移動を規制するための部材である。規制部材２４は、図５に示すように、ヒンジ部２４ａと、ヒンジレバー２４ｂと、規制レバー２４ｃとを含んでいる。ヒンジ部２４ａは、アンダーカバー２２ａの端面に配置されている。ヒンジレバー２４ｂは、ヒンジ部２４ａと規制レバー２４ｃとを繋いでいる部分である。ヒンジレバー２４ｂがヒンジ部２４ａの周りをスイングされることによって、規制レバー２４ｃはヒンジレバー２４ｂの長さを半径とする円弧を描きながら回動する。規制レバー２４ｃは、第１ローラ４０の上方で、かつ、フィルタ１９に近接する規制位置まで回動して停止する（図４参照）。このため、ユーザが、第２支持部３１を第１支持枠２１に装着した後規制レバー２４ｃを規制位置まで回動させることで、第２支持部３１が第１支持枠２１から引き出される方向に移動しなくなる。
【００４３】
（２−５）第２支持部
第２支持部３１は、フィルタ１９が所定の環形状を形成するように、フィルタ１９を支持する部材である。また、ユーザは、第２支持部３１を、フィルタ１９と共に、本体１１から引き出すことができる。さらに、第２支持部３１は、第２支持枠３２と、第１ローラ４０と、第２ローラ３３とを備えている。
【００４４】
（２−５−１）第２支持枠
第２支持枠３２は、図２、図３及び図６に示すように、第１支持板３４と、第２支持板３５と、複数の補強棒３６とを含んでいる。第１支持板３４は、第１ローラ４０の回転軸を支持する第１軸受部３４ａと、第２ローラ３３を支持するための第２軸受部（図示せず）とを有している。第１軸受部３４ａは、第１支持板３４の長手方向の一端に配置されている。また、第１軸受部３４ａには、第１ローラ４０の駆動ギア４３から突出する駆動軸４３ａが貫通する貫通口（図示せず）が設けられている。第２軸受部は、第１支持板３４の他端に配置されている。
【００４５】
第２支持板３５は、第１支持板３４と対向するように補強棒３６によって平行に離れて連結されている。また、第２支持板３５は、第１ローラ４０の回転軸を支持する第１軸受部３５ａと、第２ローラ３３を支持するための第２軸受部（図示せず）とを有している。第１軸受部３５ａは、第２支持板３５の長手方向の一端に配置されている。第２軸受部は、第２支持板３５の他端に配置されている。なお、第２支持板３５の第１軸受部３５ａには、第１支持板３４の第１軸受部３４ａのような貫通口が設けられていない。
【００４６】
また、第１支持板３４及び第２支持板３５には、板幅の略中央に、長手方向に沿って並ぶ複数の突起３４ｂ，３５ｂが設けられている。なお、第１支持板３４に設けられている突起３４ｂから第２支持板３５に設けられている突起３５ｂまでの最短距離は、フィルタ１９の幅よりも少しだけ大きく設定されている。このため、環形状のフィルタ１９が第２支持枠３２に掛け渡されたとき、フィルタ１９の両端面は、第１支持板３４及び第２支持板３５に設けられている突起３４ｂ，３５ｂと対峙する。これにより、フィルタ１９が周回軌道を周回する際、フィルタ１９の両端が複数の突起３４ｂ，３５ｂによって案内されるので、フィルタ１９の蛇行が防止される。
【００４７】
さらに、第２支持部３１が第１支持枠２１に装着される際に、第１支持板３４は、第１支持枠２１の第１案内溝２５ａ，２６ａへ挿入され、第２支持板３５は、第１支持枠２１の第２案内溝２６ｂ，２７ｂへ挿入される。ここで、第１支持板３４及び第２支持板３５の突起３４ｂ，３５ｂは、第１支持板３４及び第２支持板３５が湾曲しやすくなるように、間隔をあけて並んでいる。これにより、第２支持部３１を第１支持枠２１に装着する際に、第２支持部３１を第１支持枠２１に容易に装着することができる。
【００４８】
補強棒３６は、第１支持板３４及び第２支持板３５に対して平行に延びるに補強棒３６ａと、第１支持板３４及び第２支持板３５に対して直交するように延びる補強棒３６ｂとを含み、格子状に形成されている。これにより、一定の強度を確保している。
【００４９】
（２−５−２）第１ローラ
第１ローラ４０は、環形状のフィルタ１９が進行方向を反転させる方向転換部であって、第２支持枠３２の下端部に回転可能に支持されている（図１及び図４参照）。また、第１ローラ４０は、シャフト４１と、シャフト４１に巻き付けられる帯状部材４２と、駆動ギア４３とを有している。
【００５０】
シャフト４１は、図７に示すように、細長い円筒形所を呈する部材であって、一体成形されている。また、シャフト４１は、その横断面が基部４４と、基部４４から外周面に向かって延びる複数のリブ部４７，４８とから形成されている（図４及び図７参照）。
【００５１】
また、複数のリブ部４７，４８は、図７に示すように、シャフト４１の長手方向に沿って延びる第１リブ部４７と、第１リブ部４７に交差する方向に沿って延びる第２リブ部４８とを有している。また、第１リブ部４７は、小リブ部４７ａと、大リブ部４７ｂとを含む（図４及び図７参照）。複数の小リブ部４７ａが、対向する大リブ部４７ｂの間に配置されている。また、帯状部材４２がシャフト４１に巻き付けられた状態では、小リブ部４７ａの先端の端面と帯状部材４２とが接触し、大リブ部４７ｂの先端から基部４４までの面と帯状部材４２とが接触する。この結果、大リブ部４７ｂが、小リブ部４７ａよりも帯状部材４２との接触面積が大きくなる。
【００５２】
さらに、隣接する第１リブ部４７によって形成される溝４６は、第２リブ部４８によって分断されている。なお、隣接する第２リブ部４８の間隔は、シャフト４１に巻き付けられた状態の帯状部材４２におけるシャフト４１の長手方向の寸法よりも狭くなるように構成されている。
【００５３】
また、シャフト４１の両端部には、第１支持板３４及び第２支持板３５の有する第１軸受部３４ａ，３５ａと嵌合する第１凹部４１ａと、駆動ギア４３の駆動軸４３ａを挿入可能な第２凹部４１ｂとが設けられている。
【００５４】
帯状部材４２は、表面に短い繊維が立つように織られた布によって構成されている。第１ローラ４０は、シャフト４１の外周面に帯状部材４２が接着剤で貼り付けられて構成される。これにより、第１ローラ４０の外周面に立つ繊維がフィルタ１９の編み目に入り込むことで、第１ローラ４０とフィルタ１９との間に滑りが生じにくくなっている。この結果、第１ローラ４０を回転させることで、フィルタ１９が第２支持部３１に沿って周回することができる。
【００５５】
駆動ギア４３は、第２支持部３１が第１支持枠２１に保持されることで、ローラ駆動モータによって駆動されるギア列の駆動力を伝達する連動ギア（図示せず）と噛み合うように配置される。また、駆動ギア４３の中心から突出するように設けられている駆動軸４３ａは、第１支持板３４に設けられている貫通口を介してシャフト４１の一方の端部と連結しており、駆動軸４３ａが回転することでシャフト４１が回転する。
【００５６】
（２−５−３）第２ローラ
第２ローラ３３は、棒状の部材であって、第２支持枠３２の上端部に回転可能に支持されている（図１参照）。また、第２ローラ３３は、環形状のフィルタ１９が進行方向を反転させる方向転換部であって、第１ローラ４０とともにフィルタ１９が細長い環になるようにフィルタ１９を内側から支持している。
【００５７】
（３）ダストボックス
図８は、掃除機構３０の構成部品を説明するための図である。なお、図８では、ダストボックス６０が本体に装着された状態の掃除機構３０の断面図を示している。
【００５８】
ダストボックス６０は、図８に示すように、フィルタ１９の下部の折り返し部分近傍に配置されており、本体１１から着脱可能に構成されている。また、ダストボックス６０は、図９から図１３に示すように、ダストボックス本体６１と、ブラシ６２と、圧縮ローラ６３と、櫛部６４と、を備えている。
【００５９】
（３−１）ブラシ
ブラシ６２は、樹脂製の毛材が円柱状の芯に貼り付けられて構成されている。また、ブラシ６２は、ダストボックス６０が本体１１に装着された状態で、フィルタ１９に付着した塵埃を掻き落として除去するために、フィルタ１９に接触するように配置される。具体的には、ブラシ６２は、ダストボックス６０が本体１１に装着された状態で、フィルタ１９を挟んで第１ローラ４０と対向して配置される。
【００６０】
また、ブラシ６２の軸の両端は、ダストボックス本体６１の両端部に回転自在に支持されている。さらに、ブラシ６２の軸には、駆動ギア６２ａが取り付けられており、ダストボックス６０が本体１１に装着されることで、ブラシ駆動モータによって駆動されるギア列の駆動力を伝達する連動ギアと噛み合うように設計されている。これにより、ブラシ６２は、ブラシ駆動モータが駆動することで、回転するようになっている。なお、ブラシ６２は、フィルタ１９の周回方向と反対方向に回転する。
【００６１】
（３−２）圧縮ローラ
圧縮ローラ６３は、円柱状の棒状部材であって、圧縮ローラ６３の表面には螺旋状の突起が形成されている。また、圧縮ローラ６３は、ダストボックス本体６１の両端部に回転可能に支持されている。なお、圧縮ローラ６３は、フロントカバー６５に圧縮ローラ６３が支持された状態で、櫛部６４の歯６４ａの下側に配置される（図８参照）。さらに、圧縮ローラ６３には、駆動ギア６２ａと噛み合う位置にギア６３ａが設けられている。これにより、圧縮ローラ６３は、ブラシ６２の回転に連動して回転する。なお、圧縮ローラ６３は、ブラシ６２の回転方向と反対方向に回転する。
【００６２】
（３−３）ダストボックス本体
ダストボックス本体６１は、フロントカバー６５と底カバー６６とを有しており、フロントカバー６５と底カバー６６とを組み合わせることで、ブラシ６２から除去された塵埃を収集するための塵埃取込口６１ａを有する箱形となる。また、塵埃取込口６１ａは、図８に示すように、ブラシ６２の下端部近傍に位置しており、塵埃取込口６１ａから取り入れられた塵埃は、フロントカバー６５と底カバー６６とによって構成される空間Ｓ１に溜められるようになっている。
【００６３】
フロントカバー６５は、ブラシ６２及び圧縮ローラ６３を回転可能に支持する軸受部を有している。さらに、フロントカバー６５は、図１４に示すように、第１壁部６５ａと第２壁部６５ｂとから構成される壁部６５ｃを含む。壁部６５ｃは、フロントカバー６５において他の部分よりもブラシ６２近傍に配置されており、壁部６５ｃにおいてブラシ６２の外周面と対向する側の面がブラシ６２の端部である毛先から５ｍｍ以内に位置している。第１壁部６５ａと第２壁部６５ｂとは、フロントカバー６５の軸受部に圧縮ローラ６３が支持された状態で、圧縮ローラ６３を挟んで対向するように位置している。
【００６４】
第１壁部６５ａは、図１４に示すように、ブラシ６２の外周に沿った形状を有しており、ダストボックス６０が本体１１に装着された状態で、ブラシカバー２２ｂと共にブラシ６２の外周を覆うように配置されている。具体的には、図８に示すように、ダストボックス６０が本体１１に装着された状態で、ブラシ６２のフィルタ１９に面しない部分、すなわち、ブラシ６２のフィルタ１９に接触しない部分のうちの一部であるブラシ６２の前側を第１壁部６５ａが覆い、ブラシ６２の後側をブラシカバー２２ｂが覆う。また、第１壁部６５ａは、第１壁部６５ａにおいてブラシ６２の外周面と対向する側の面が、ブラシ６２の毛先から２ｍｍ以内に位置していることが好ましい。なお、本実施形態では、前記面からブラシ６２の毛先までの距離が１ｍｍ以内となっている。
【００６５】
第２壁部６５ｂは、第１壁部６５ａよりもブラシ６２の回転方向下流側（本実施形態では、後側）に位置している。また、第２壁部６５ｂの端部には、櫛部６４の複数の歯６４ａが並んで配置されている。櫛部６４の歯６４ａは、ブラシ６２がダストボックス本体６１に支持された状態で、ブラシ６２の下から斜め前方向に向けて挿入されるように配置されている。さらに、ダストボックス６０が本体１１に装着された状態では、第２壁部６５ｂとブラシカバー２２ｂとが重なるように、第２壁部６５ｂの上側にブラシカバー２２ｂが配置されている。なお、第２壁部６５ｂとブラシカバー２２ｂとは、ダストボックス６０が本体に装着された状態で、３ｍｍ以上重なっていることが好ましく、本実施形態では、第２壁部６５ｂとブラシカバー２２ｂとが７ｍｍ重なっている。
【００６６】
また、第１壁部６５ａ及び第２壁部６５ｂはブラシ６２の周方向における第１角度範囲にわたって延びており、ブラシカバー２２ｂは、ブラシ６２の周方向における第２角度範囲にわたって延びている。この結果、ダストボックス６０が本体１１に装着されていない時には、ブラシ６２は、第１壁部６５ａ及び第２壁部６５ｂが延びる第１角度範囲以外の角度範囲θ１だけダストボックス本体６１から露出している（図１４（ａ）参照）。また、ダストボックス６０が本体１１に装着されている時には、ブラシ６２は、角度範囲θ１よりも小さい角度範囲θ２だけダストボックス本体６１及び本体１１から露出している（図１４（ｂ）参照）。なお、角度範囲θ１は、１８０度以上であることが好ましく、本実施形態では、約２００度である。また、角度範囲θ２は、１８０度未満であることが好ましく、本実施形態では、約１２０度である。
【００６７】
また、第１壁部６５ａと第２壁部６５ｂとの間の隙間が、塵埃取込口６１ａとなっている。なお、第１壁部６５ａと圧縮ローラ６３との距離は第２壁部６５ｂと圧縮ローラ６３との距離よりも短く、圧縮ローラ６３と第２壁部６５ｂとの間の隙間は、櫛部６４の歯６４ａによってブラシ６２から除去され、ブラシ６２と圧縮ローラ６３とによって圧縮された塵埃を空間Ｓ１に導くための通路になっている。
【００６８】
このような構成によって、フィルタ１９に付着した塵埃をブラシ６２が掻き取り、櫛部６４の歯６４ａがブラシ６２を梳くことでブラシ６２に付着した塵埃がブラシ６２から取り除かれる。そして、ブラシ６２から取り除かれた塵埃は、圧縮ローラ６３によって圧縮されながら空間Ｓ１に向かって搬送され、空間Ｓ１に溜められる。
【００６９】
また、ダストボックス６０は、本体１１から取り外すことができるので、空間Ｓ１内に塵埃が十分溜まったときに、ユーザは、ダストボックス６０を本体１１から取り外して塵埃を捨てることができる。なお、ブラシ６２はダストボックス本体６１に回転自在に取り付けられているため、ダストボックス６０が本体１１から取り外された時に、ダストボックス本体６１と一緒にブラシ６２も取り出される。また、ブラシ６２は、ダストボックス６０が本体１１に装着されている状態で、ブラシ６２の前側が第１壁部６５ａによって覆われており、ブラシ６２の後側が本体１１のブラシカバー２２ｂによって覆われているため、ダストボックス６０が本体１１から取り外されることで、ブラシ６２のブラシカバー２２ｂによって覆われていた部分が露出する。この結果、ブラシ６２において、フィルタ１９に面している部分に加えて、ブラシカバー２２ｂによって覆われていた部分が露出するため、ユーザは、ダストボックス６０を本体１１から取り外すだけで、ブラシ６２の掃除を容易に行うことができる。
【００７０】
（４）特徴
（４−１）
フィルタの掃除機構を備える空調室内機において、ブラシの大部分をダストボックス内に配置して、ブラシの半分以上をダストボックスの壁面によって覆うことで、ブラシに付着している塵埃を空調室内機内で舞い散らせないようにすることが考えられる。一方、ブラシの半分以上がダストボックスの壁面によって覆われている場合、ブラシに付着した塵埃を除去するためには、ダストボックスからブラシを取り出す必要がある。また、分解可能なダストボックスであれば、ブラシに付着した塵埃を除去するために、ダストボックスを分解してブラシをダストボックスから露出させる必要がある。
【００７１】
そこで、本実施形態では、ダストボックス６０が本体１１に装着された状態で、第１壁部６５ａが、ブラシカバー２２ｂと共にブラシ６２のフィルタ１９に面しない部分を覆っている。このため、ダストボックス６０が本体１１に装着されている場合には、ブラシ６２に付着している塵埃がケーシング１２内で舞い散るおそれを低減することができる。
【００７２】
また、第１壁部６５ａが、ブラシカバー２２ｂと共にブラシ６２のフィルタ１９に面しない部分を覆っているため、ダストボックス６０が本体１１に装着されていない場合には、ブラシ６２のフィルタ１９に面している部分に加えて、ブラシ６２のブラシカバー２２ｂによって覆われていた部分を露出させることができる。したがって、ブラシ６２の掃除を容易に行うことができる。
【００７３】
（４−２）
本実施形態では、第１壁部６５ａ及びブラシカバー２２ｂにおいてブラシ６２の外周面と対向する側の面からブラシ６２の毛先までの距離が１ｍｍ以内となっている。このため、ブラシ６２に付着している塵埃がケーシング１２内に舞い散るおそれを低減することができている。
【００７４】
（４−３）
本実施形態では、ダストボックス６０が本体１１に装着されていない時には、ブラシ６２は、約２００度の角度範囲だけダストボックス本体６１から露出している。このため、ダストボックス６０を本体１１から取り出すことで、ブラシ６２の半分以上が露出するため、ブラシ６２の掃除を容易に行うことができる。また、ダストボックス６０が本体１１に装着されていない場合には、ブラシ６２が、約２００度の角度範囲だけダストボックス本体６１から露出しているため、ダストボックス６０の本体１１への取付方向が明確になる。これにより、ユーザが、ダストボックス６０を本体１１に容易に取り付けることができる。
【００７５】
また、ダストボックス６０が本体１１に装着されている時には、ブラシ６２は、約１２０度の角度範囲だけダストボックス本体６１及び本体１１から露出している。このため、ダストボックス６０を本体１１に装着することで、ブラシ６２の半分以上が覆われるため、ブラシ６２に付着した塵埃がケーシング１２内に舞い散るおそれを低減することができている。
【００７６】
なお、ここでいうブラシ６２の露出している箇所とは、ブラシ６２の毛をブラシ６２の中心から放射状に延ばした時に、第１壁部６５ａ、第２壁部６５ｂ或いはブラシカバー２２ｂに当たらない部分のことである。
【００７７】
（４−４）
本実施形態では、ブラシカバー２２ｂは、ブラシ６２の周面に沿って湾曲した形状を呈する。このため、ブラシカバー２２ｂにおいてブラシ６２の周面と対向する側の面からブラシ６２の毛先までの距離を縮めることができる。したがって、ダストボックス６０が本体１１に装着されている時に、ブラシ６２に付着した塵埃がケーシング１２内に舞い散るおそれを低減することができている。
【００７８】
（４−５）
本実施形態では、ダストボックス６０が本体１１に装着された状態で、壁部６５ｃの一部である第２壁部６５ｂとブラシカバー２２ｂとが、７ｍｍ重なって配置されている。このため、ブラシ６２に付着した塵埃がフロントカバー６５とブラシカバー２２ｂとの隙間から漏れるおそれを低減することができている。したがって、フィルタ１９に付着した塵埃が室内熱交換器１５に付着しないようにすることができる。
【００７９】
（４−６）
本実施形態では、ダストボックス６０が、ブラシ６２に付着した塵埃を取り除くための複数の歯６４ａが設けられた櫛部６４を備えている。また、ダストボックス６０が本体１１に装着された状態で、ブラシカバー２２ｂは、櫛部６４の歯６４ａよりもブラシ６２の回転方向下流側に配置されている。これにより、ブラシ６２に付着した塵埃は、ブラシカバー２２ｂと対向する前に櫛部６４の歯６４ａによって取り除かれるため、塵埃がブラシカバー２２ｂに溜まるおそれを低減することができている。
【００８０】
（５）変形例
（５−１）変形例Ａ
上記実施形態では、ダストボックス６０が本体１１に装着された状態で、第１壁部６５ａとブラシカバー２２ｂとが、ブラシ６２のフィルタ１９と接触しない部分のうちの一部を覆っている。これに代えて、ダストボックスが本体に装着された状態で、第１壁部とブラシカバーとが、ブラシのフィルタに接触しない部分の全てを覆っていてもよい。
【００８１】
また、上記実施形態では、ダストボックス６０が本体１１に装着された状態で、壁部６５ｃとブラシカバー２２ｂとが、共同して、ブラシ６２の周面の一部を覆っており、このとき、第２壁部６５ｂとブラシカバー２２ｂの一部とが重なって配置されている。これに代えて、フロントカバー６５の一部とブラシカバー２２ｂとが、ブラシ６２の周面を覆うように、それぞれ離れて配置されていてもよく、重ならずに隣接して配置されていてもよい。
【００８２】
（５−２）変形例Ｂ
上記実施形態では、フィルタ１９から除去された塵埃がダストボックス６０の空間Ｓ１内に溜められ、空間Ｓ１内に溜められた塵埃は、ユーザによって捨てられている。しかしながら、フィルタから除去された塵埃の処分方法はこれに限定されず、例えば、フィルタから除去された塵埃がダストボックス内に溜められることなく、ダストボックス内を介して自動的に外部に放出されてもよい。これにより、ユーザがダストボックス内に溜められた塵埃を捨てる手間を省くことができる。
【産業上の利用可能性】
【００８３】
本発明は、ブラシに付着した塵埃が舞い散るおそれを低減することができ、かつ、ブラシの掃除を容易に行うことができるため、フィルタ清掃機能を有する空調室内機への適用が有効である。
【符号の説明】
【００８４】
１０      空調室内機
１１      本体
１９      フィルタ
２２ｂ    ブラシカバー（本体側壁面）
６０      塵埃収集部（ダストボックス）
６２      ブラシ
６４      櫛部
６５ｃ    壁部（塵埃収集部側壁面）
【先行技術文献】
【特許文献】
【００８５】
【特許文献１】特開２００９−１８０４６５号公報
【図１】
0005429115.tif 000002
【図２】
0005429115.tif 000003
【図３】
0005429115.tif 000004
【図４】
0005429115.tif 000005
【図５】
0005429115.tif 000006
【図６】
0005429115.tif 000007
【図７】
0005429115.tif 000008
【図８】
0005429115.tif 000009
【図９】
0005429115.tif 000010
【図１０】
0005429115.tif 000011
【図１１】
0005429115.tif 000012
【図１２】
0005429115.tif 000013
【図１３】
0005429115.tif 000014
【図１４】
0005429115.tif 000015